(57)【要約】  受信データの位相を追跡するための位相追跡部（７）が、補間済みサンプルからなる少なくとも２つのストリームを生成するための、エラー信号をストリームごとに生成するための、また補間を調整するためのインジケータ信号を生成するための、補間部（２０）、エラー検波器（２１、２２）、合成器（２５）、およびインジケータ生成部（２６）付きで提供されて、位相追跡のための同期ワードの使用が回避される。インジケータ生成部（２６）は、合成済みのエラー信号を変換して、補間済みサンプルのサンプリング位相をシフトさせることにより補間を調節するためのインジケータ信号にする。位相追跡部（７）に積分器（２３、２４）を提供することにより、合成器（２５）は、積分された（加算された）エラー信号を合成することになり、合成がより少なくて済むことになり、より低いクロック速度で動作することができる。さらに、積分することによりノイズが減少する。合成器（２５）に位相偏移変調スライサなどの量子化器（７０）を提供することにより効率がさらに改善される。合成器（２５）にフィルタ（７１〜７８）を提供することにより特定のエラー信号をより重要および／またはより冗長にすることができる。
2007511926.tif 000002
【特許請求の範囲】
【請求項１】
受信データの位相を追跡するための位相追跡部を含むシステムであって、前記位相追跡部が、
前記受信データを補間し、補間済みサンプルからなる少なくとも２つのストリームを生成するための補間部と、
補間済みサンプルに応答してエラー信号をストリームごとに生成するためのエラー検波器と、
エラー信号を合成し、合成済みエラー信号を生成するための合成器と、
合成済みエラー信号に応答して、前記補間部に供給されることになるインジケータ信号を生成して、前記インジケータ信号に応答して前記補間部を調節するためのインジケータ生成部と
を含むシステム。
【請求項２】
前記補間部を前記調節することが、前記補間済みサンプルのサンプリング位相のシフトを含む、請求項１に記載のシステム。
【請求項３】
前記位相追跡部が、エラー信号を積分するための積分器を含む、請求項２に記載のシステム。
【請求項４】
前記合成器が、合成済みエラー信号を量子化するための量子化器を含む、請求項３に記載のシステム。
【請求項５】
前記合成器が、合成済みエラー信号を濾波し、前記量子化器に供給されることになる濾波された合成済みエラー信号を生成するためのフィルタを含む、請求項４に記載のシステム。
【請求項６】
前記受信データは同相データおよび直交データを含み、補間済みサンプルからなる各ストリームは、同相の補間済みサンプルからなるストリームと、直交の補間済みサンプルからなるストリームとを含み、前記エラー検波器は、前記同相の補間済みサンプルを受け取るための第１の遅延要素、および、前記直交の補間済みサンプルを受け取るための第２の遅延要素を含み、前記第１の遅延要素の入力は第１の加算器の正の入力に結合され、前記第２の遅延要素の入力は第２の加算器の正の入力に結合され、前記第１の遅延要素の出力は第３の遅延要素の入力に結合され、前記第２の遅延要素の出力は第４の遅延要素の入力に結合され、前記第３の遅延要素の出力は前記第１の加算器の負の入力に結合され、前記第４の遅延要素の出力は前記第２の加算器の負の入力に結合され、前記第１の加算器の出力は第１の逓倍器の第１の入力に結合され、前記第２の加算器の出力は第２の逓倍器の第１の入力に結合され、前記第１の逓倍器の第２の入力は前記第１の遅延要素の前記出力に結合され、前記第２の逓倍器の第２の入力は前記第２の遅延要素の前記出力に結合され、前記第１の逓倍器の出力は第３の加算器の第１の正の入力に結合され、前記第２の逓倍器の出力は前記第３の加算器の第２の正の入力に結合され、前記第３の加算器は、前記積分器へと供給されることになるエラー信号を生成するための出力を含む、請求項５に記載のシステム。
【請求項７】
前記量子化器は、位相偏移変調スライサを含み、前記フィルタは、第５および第６の遅延要素を含み、前記第５の遅延要素の出力は第３の逓倍器の第１の入力に結合され、前記第６の遅延要素の出力は第４の逓倍器の第１の入力に結合され、前記第３の逓倍器の出力は第４の加算器の第１の正の入力に結合され、前記第４の逓倍器の出力は第５の加算器の第１の正の入力に結合され、前記第４の加算器の出力は前記第５の遅延要素の入力に、また前記位相偏移変調スライサの第１の入力に結合され、前記第５の加算器の出力は前記第６の遅延要素の入力に、また前記位相偏移変調スライサの第２の入力に結合され、前記第４の加算器の第２の正の入力は第５の逓倍器の出力に結合され、前記第５の加算器の第２の正の入力は第６の逓倍器の出力に結合され、前記第５の逓倍器は、第１のエラー信号を受け取るための第１の入力と、第１のフィルタ用係数（μ）を受け取るための第２の入力を含み、前記第６の逓倍器は、第２のエラー信号を受け取るための第１の入力と、前記第１のフィルタ用係数（μ）を受け取るための第２の入力を含み、前記第３の逓倍器は、第２のフィルタ用係数（１−μ）を受け取るための第２の入力を含み、前記第４の逓倍器は前記第２のフィルタ用係数（１−μ）を受け取るための第２の入力を含み、前記第５および第６の遅延要素は、リセット可能である、請求項６に記載のシステム。
【請求項８】
受信データの位相を追跡するための位相追跡部を含む装置であって前記位相追跡部が、
前記受信データを補間し、補間済みサンプルからなる少なくとも２つのストリームを生成するための補間部と、
補間済みサンプルに応答してエラー信号をストリームごとに生成するためのエラー検波器と、
エラー信号を合成し、合成済みエラー信号を生成するための合成器と、
合成済みエラー信号に応答して、前記補間部に供給されることになるインジケータ信号を生成して、前記インジケータ信号に応答して前記補間部を調節するためのインジケータ生成部と
を含む装置。
【請求項９】
受信データの位相を追跡するための位相追跡部であって、
前記受信データを補間し、補間済みサンプルからなる少なくとも２つのストリームを生成するための補間部と、
補間済みサンプルに応答してエラー信号をストリームごとに生成するためのエラー検波器と、
エラー信号を合成し、合成済みエラー信号を生成するための合成器と、
合成済みエラー信号に応答して、前記補間部に供給されることになるインジケータ信号を生成して、前記インジケータ信号に応答して前記補間部を調節するためのインジケータ生成部と
を含む位相追跡部。
【請求項１０】
受信データの位相を追跡するためのプロセッサであって、
前記受信データを補間し、補間済みサンプルからなる少なくとも２つのストリームを生成するための補間機能と、
補間済みサンプルに応答してエラー信号をストリームごとに生成するためのエラー検波機能と、
エラー信号を合成し、合成済みエラー信号を生成するための合成機能と、
合成済みエラー信号に応答して、インジケータ信号を生成して、前記インジケータ信号に応答して前記補間機能を調節するためのインジケータ生成機能と
を含むプロセッサ。
【請求項１１】
受信データの位相を追跡するための方法であって、
前記受信データを補間し、補間済みサンプルからなる少なくとも２つのストリームを生成するステップと、
補間済みサンプルに応答してエラー信号をストリームごとに生成するステップと、
エラー信号を合成し、合成済みエラー信号を生成するステップと、
合成済みエラー信号に応答して、インジケータ信号を生成して、前記インジケータ信号に応答して前記補間を調節するステップと
を含む方法。
【請求項１２】
受信データの位相を追跡するためのプロセッサ・プログラムであって、
前記受信データを補間し、補間済みサンプルからなる少なくとも２つのストリームを生成する機能と、
補間済みサンプルに応答してエラー信号をストリームごとに生成する機能と、
エラー信号を合成し、合成済みエラー信号を生成する機能と、
合成済みエラー信号に応答して、インジケータ信号を生成して、前記インジケータ信号に応答して前記補間を調節する機能と
を含むプロセッサ・プログラム。
【発明の詳細な説明】
【技術分野】
【０００１】
本発明は、受信データの位相を追跡するための位相追跡部を含むシステムに関する。
【０００２】
また、本発明は、位相追跡部を含む装置に、また位相追跡部に、また受信データの位相を追跡するためのプロセッサに、また受信データの位相を追跡するための方法に、また受信データの位相を追跡するためのプロセッサ・プログラム製品に関する。
【０００３】
システムは、たとえば、有線または無線の電話などの通信システムに、あるいは、コンピュータを有線または無線でネットワークなどに結合するためのネットワーク・インターフェースを含むコンピュータに対応する。装置は、たとえば、有線または無線のモデムなどに対応する。
【背景技術】
【０００４】
従来技術のシステムは、無線デジタル通信受信機の諸部分を開示する米国特許第５９６３６０３号より既知である。無線周波数回路と、ダウン・コンバータと、サンプリング部［sampler］と、およびＡ／Ｄ変換器［analog-to-digital converter］により、データは、受信され、変換され、補間部ならびにクロック回復およびフレーム同期ブロックを含む位相追跡部へと供給される。上記の米国特許のコラム４で説明されているように、この位相追跡部の動作は、同期ワード［sync word］に基づいており、すなわち、この同期ワードは、送信側でデータに付加され、受信機によりあらかじめ知られて検出される。この同期ワードを検出することにより、位相が追跡される。
【０００５】
既知のシステムは、とりわけ、同期ワードに基づいていること、すなわち、同期ワードの受信中だけ、位相が追跡され、残りのデータの受信中には、位相は追跡されないという理由で、不利となっている。
【発明の開示】
【発明が解決しようとする課題】
【０００６】
本発明の一目的は、とりわけ、位相追跡部が同期ワードの使用に依存しないシステムを提供することである。
【０００７】
本発明のさらなる目的は、とりわけ、位相追跡部が同期ワードの使用に依存しない装置を提供すること、および、どれもが同期ワードの使用に依存しない、位相追跡部と、プロセッサと、方法と、プロセッサ・プログラムとを提供することである。
【課題を解決するための手段】
【０００８】
本発明によるシステムは、受信データの位相を追跡するための位相追跡部を含み、前記位相追跡部は、
前記受信データを補間し、補間済みサンプルからなる少なくとも２つのストリームを生成するための補間部と、
補間済みサンプルに応答してエラー信号をストリームごとに生成するためのエラー検波器と、
エラー信号を合成し、合成済みエラー信号を生成するための合成器と、
合成済みエラー信号に応答して、前記補間部に供給されることになるインジケータ信号を生成して、前記インジケータ信号に応答して前記補間部を調節するためのインジケータ生成部と
を含む。
【０００９】
システムに補間部およびエラー検波器を、補間済みサンプルからなるストリームごとに提供することにより、エラー信号が生成される。合成器では、これらのエラー信号を結合し、インジケータ生成部では、合成済みエラー信号を変換して、補間を調節するためのインジケータ信号にする。その結果、（フレーム同期などの他の目的では、同期ワードは依然として必要であるかも知れないが、位相を追跡するためには）同期ワードはもはや必要ではなく、位相は、まさに同期ワードの受信中でなくても、全てのデータに対して追跡される。さらに、本発明によるシステムにおける位相追跡部は、有利な最小の収集時間間隔を有しており、位相追跡時間間隔で（ほぼ）直ちに開始する。
【００１０】
本発明によるシステムの第１の実施形態は、補間済みサンプルのサンプリング位相をシフトさせることを通して補間部を調節することによって定義される。たとえば、３つの値（アップ、ゼロ、ダウン）のうちの１つを有するインジケータ信号により、サンプリング位相が１つまたは複数の所定のステップで、もっとも効率的に（後ろ向きにではなく、前向きに）のシフトできるようになる。
【００１１】
本発明によるシステムの第２の実施形態は、位相追跡部に積分器を提供することによって定義される。エラー信号を積分する（加算する）ことにより、合成器は、積分（加算）されたエラー信号を合成することになり、合成をより少なくて済ますことになり、より低いクロック速度で動作できる。さらに、積分することにより、不正確さが増し、ノイズが減少する。しかし、不利となる不正確さの増大は、有利であるノイズの減少に比べて、積分の時間間隔が長すぎない限り、無視できるものである。
【００１２】
本発明によるシステムの第３の実施形態は、合成器に量子化器を提供することによって定義される。合成済みエラー信号を量子化し、インジケータ生成部に直前の量子化セグメントが残っているかどうかを知らせ、直前の量子化セグメントが残っている場合、インジケータ生成部に新しい量子化セグメントはサンプリング位相を前へまたは後ろへシフトさせることが必要であることを知らせることにより、本発明による位相追跡部の効率はさらに向上している。
【００１３】
本発明によるシステムの第４の実施形態は、合成器にフィルタを提供することによって定義される。合成済みの（積分された）エラー信号を濾波することにより、重要なエラー信号はより重要にすることができ、かつ／または冗長なエラー信号はより冗長にすることができる。
【００１４】
本発明によるシステムの第５実施形態は、受信データが同相データ［in-phase data］および直交（直角位相）データ［quadrature data］を含み、その際、補間済みサンプルの各ストリームは、同相の補間済みサンプルからなるストリームと、直交の補間済みサンプルからなるストリームとを含む状態にあることにより、またエラー検波器が有利な単純な構成を有することによって定義される。
【００１５】
本発明によるシステムの第６の実施形態は、量子化器が位相偏移変調スライサ［Phase Shift Keying Slicer］を含むことにより、またフィルタが有利な単純な構成を有することによって定義される。たとえば、０と１の間の適応可能な値を有する第１のフィルタ用係数、および、たとえば、１引く第１のフィルタ用係数という値を有する第２のフィルタ用係数により、フィルタを調整することが可能になる。
【００１６】
本発明による装置の、また、本発明による位相追跡部の、また本発明によるプロセッサの、また本発明による方法の、また、本発明によるプロセッサ・プログラムの諸実施形態は、本発明によるシステムの諸実施形態に対応する。
【００１７】
本発明は、とりわけ、追跡情報を決定するための同期ワードに基づく従来技術の位相追跡部が、こうした同期ワードの受信中に位相を追跡するだけであるという洞察に基づいており、とりわけ、位相追跡のための同期ワードの使用が、補間済みサンプルからなる少なくとも２つのストリームを生成すること、エラー信号をストリームごとに生成すること、および、合成済みエラー信号に応答して、補間を調節するためのインジケータ信号を生成することによって、回避されることができるという基本的着想に基づいている。
【００１８】
本発明は、とりわけ、システムに同期ワードの使用に依存しない位相追跡部を提供する問題を解決し、とりわけ、この位相追跡部を有するシステムは、同期ワードの受信中だけでなく常に、位相を追跡し、最小の収集時間間隔を有し、位相追跡時間間隔で（ほぼ）直ちに開始する点で、有利である。
【００１９】
本発明のこうしたおよび他の諸態様は、以下で説明する諸実施形態から明らかであろうし、またこれらを参照して説明されることになる。
【発明を実施するための最良の形態】
【００２０】
図１に示している本発明によるシステム１は、無線周波数インターフェース２、ハードウェア・インターフェース３、および受信機４を含む。受信機４は、制御部５，高精度自動利得制御ユニット６、位相追跡部７（チップ回復ユニット）、搬送波回復ユニット８、等価器９、復調器１０、および、制御部５の一部をなしてもなさなくてもよい制御用ユニット１１を含む。高精度自動利得制御ユニット６の入力は無線周波数インターフェース２の出力に結合され、高精度自動利得制御ユニット６の出力は位相追跡部７の入力に結合されている。位相追跡部７の出力は、搬送波回復ユニット８の入力に結合され、搬送波回復ユニット８の出力は等価器９の入力に結合されている。等価器９の出力は、復調器１０の入力に結合され、復調器１０の出力は制御用ユニット１１の入力に結合されており、その出力はハードウェア・インターフェース３の入力に結合されている。制御部５は、制御する目的で、インターフェース２および３のそれぞれ１つ、ならびにブロック６〜１１と、結合されている。
【００２１】
高精度自動利得制御ユニット６では、受信信号パワーの調節、無線周波数インターフェース２からのｍビット（たとえば、ｍ＝８）を受信機４に必要なｎ実効ビット（例えば、ｎ＝６）にマッピングすること、利得補正後の信号のクリッピングの回避、予備的な利得調節の提供、パワー計測および補正プロセス内の早い段階で、信号パワーの大きな変動の防止など、いくつかの機能が実行される。位相追跡部７では、サンプリング位相を計測および追跡し、これを追跡し、サンプルのクロックの不正確さにかかわらず、サンプリング位相が一定に保たれるように保証する。キャリア回復ユニット８は、搬送周波数誤りを補正し、初期化のためにバーカー逆拡散器［Barker de-spreader］および初期周波数推定部を使用し、プリアンブル区間中にシンボル同期を獲得する。等価器９は、最適サンプリング位相を導出し、フィード・フォワード部および判定フィードバック部を含み、データがデータ期間中に到着する前に、ショートまたはロングのプリアンブル期間中に調整される。復調器１０は、プリアンブル期間中は動作可能ではなく、データ期間中に復号および翻訳する。
【００２２】
図２に示している本発明による位相追跡部７は、補間部２０を含み、そのデータ入力は高精度自動利得制御ユニット６の出力に結合され、その制御入力はインジケータ生成部２６の出力に結合され、その出力はエラー検波器２１および２２の、および搬送波回復ユニット８の入力に結合されている。エラー検波器２１および２２の出力は、積分器２３および２４を介して合成器２５の入力に結合され、その出力はインジケータ生成部２６の入力に結合されている。位相追跡部７の機能は、図３〜７を見ながら説明することにする。
【００２３】
図３に示している、区分的に２次補間を行なうための補間部２０は、５つ以上の直列の遅延要素３０〜３４を含む。遅延要素３０のデータ入力は、データを高精度自動利得制御ユニット６から受け取る。遅延要素３０〜３３それぞれの出力は、係数１／２を用いて増幅する増幅器３５〜３８それぞれの入力に結合されている。増幅器３５の出力は、加算器４０の正の（加算用）入力に、また加算器４２の負の（減算用）入力に結合される。増幅器３６の出力は、加算器４０の負の（減算用）入力に、また加算器４１の正の（加算用）入力に結合されている。遅延要素３１の出力は、さらに加算器４１のさらなる正の（加算用）入力に結合されている。加算器４１の出力は、加算器４２の正の（加算用）入力に結合され、加算器４０の出力は加算器４３の正の（加算用）入力に結合され、加算器４２の出力は加算器４５の正の（加算用）入力に結合されている。増幅器３７の出力は、加算器４３の負の（減算用）入力に、また加算器４４の正の（加算用）入力に結合される。遅延要素３２の出力は、さらに、加算器４４の負の（減算用）入力に、また加算器５１の正の（加算用）入力に結合されている。加算器４４の出力は加算器４５のさらなる正の（加算用）入力に結合され、加算器４３の出力は加算器４６の正の（加算用）入力に結合され、加算器４５の出力は加算器４７の正の（加算用）入力に結合されている。増幅器３８の出力は加算器４７の負の（減算用）入力に結合され、加算器４６のさらなる正の（加算用）入力に結合されている。加算器４６の出力は増幅器４８の入力に結合され、その出力は加算器４９の正の（加算用）入力に結合されている。加算器４７の出力は加算器４９のさらなる正の（加算用）入力に結合され、その出力は増幅器５０の入力に結合される。増幅機５０の出力は、加算器５１のさらなる正の（加算用）入力に結合され、その出力からは、補間済みサンプルが、（丸める目的で）丸め器［rounder］５２を介してエラー検波器２１、２２および／または等価器８へと送信される。増幅器４８および５０のさらなる入力は、インジケータ信号αをインジケータ生成部２６から受け取る。
【００２４】
補間器２０は、受信データを補間し、補間済みサンプルからなる少なくとも２つの（異なるサンプリング位相に対する）ストリームを、補間済みサンプルに関するサンプリング位相のシフトを定義するインジケータ信号αに依存して、生成する。補間済みサンプルからなる２つのストリームを獲得するためには、αに対して第１のストリームを生成し、α＋９０°に対して第２のストリームを生成する。このために、図３に示す補間器２０は空間的に多重化される（構築がαおよびα＋９０°に対して２度行なわれる−その際、特定の単一の部品をどちらの構築でも使用することができる）か、時間的に多重化される（使用がαおよびα＋９０°に対して２度行なわれる）。同相データおよび直交データを含む受信データの場合では、２つの同相ストリームおよび２つの直交ストリームを作成するなどの必要があることになる。
【００２５】
遅延要素３０〜３４は、たとえば、１つのシフト・レジスタの一部になっている。ときにはαが０°より小さくなり、または１８０°よりも大きくなることが原因で、このシフト・レジスタを遅延要素１つ分左または右にシフトすることが必要になる。
【００２６】
あるいは、補間器は線形補間を行なうこともでき、かつ／または２つ以上のストリーム（たとえば、αとα＋６０°とα＋１２０°）を作成することもでき、かつ／またはαに対する異なる値（たとえば、αとα＋８０°またはαとα＋１００°）を使用することなどもできる。
【００２７】
図４に示すエラー検波器２０、２１の描かれている状況では、受信データは同相データおよび直交データを含み、補間サンプルからなる各ストリームは、同相の補間済みサンプルからなるストリームと、直交の補間済みサンプルからなるストリームとを含む。エラー検波器２１、２２は同相の補間済みサンプルを受け取るための第１の遅延要素６１、および直交の補間済みサンプルを受け取るための第２の遅延要素６２を含み、第１の遅延要素６１の入力は加算器６５の正の（加算用）入力に結合され、第２の遅延要素６２の入力は加算器６６の正の（加算用）入力に結合され、第１の遅延要素６１の出力は第３の遅延要素６３の入力に結合され、第２の遅延要素６２の出力は第４の遅延要素６４の入力に結合され、第３の遅延要素６３の出力は加算器６５の負の（減算用）入力に結合され、第４の遅延要素６４の出力は加算器６６の負の（減算用）入力に結合され、第１の加算器６５の出力は逓倍器６７の第１の入力に結合され、第２の加算器６６の出力は逓倍器６８の第１の入力に結合され、逓倍器６７の第２の入力は第１の遅延要素６１の出力に結合され、逓倍器６８の第２の入力は第２の遅延要素６２の出力に結合され、第１の逓倍器６７の出力は加算器６９の正の（加算用）入力に結合され、逓倍器６８の出力は加算器６９のさらなる正の（加算用）入力に結合され、その加算器６９は、積分器２３、２４へと供給されることになるエラー信号を生成するための出力を含む。
【００２８】
図４に示しているエラー検波器２１、２２は、空間的に多重化され（構築がαおよびα＋９０°に対して２度行なわれる）、その場合２つの別個のエラー検出器２１および２２があることになるか、時間的に多重化され（使用がαおよびα＋９０°に対して２度行なわれる）、その場合１つのエラー検波器２１があることになる。
【００２９】
図５に示している結合器２５は、位相偏移変調スライサの形の量子化器７０、ならびに第５の７１および第６の７２遅延要素を含むフィルタ７１〜７８を含み、第５の遅延要素７１の出力は逓倍器７３の第１の入力に結合され、第６の遅延要素７２の出力は逓倍器７４の第１の入力に結合され、逓倍器７３の出力は加算器７５の第１の正の（加算用）入力に結合され、逓倍器７４の出力は加算器７６の第１の正の（加算用）入力に結合され、加算器７５の出力は第５の遅延要素７１の入力に、また位相偏移変調スライサの第１の入力に結合され、加算器７６の出力は第６の遅延要素７２の入力に、また位相偏移変調スライサの第２の入力に結合され、加算器７５の第２の正の（加算用）入力は逓倍器７７の出力に結合され、加算器７６の第２の正の（加算用）入力は逓倍器７８の出力に結合され、その逓倍器７７は第１のエラー信号をエラー検波器２１から受け取るための第１の入力と、第１のフィルタ用係数μを受け取るための第２の入力を含み、その逓倍器７８は、第２のエラー信号をエラー検波器２２から受け取るための第１の入力と、第１のフィルタ用係数μを受け取るための第２の入力を含み、その逓倍器７３は、第２のフィルタ用係数１−μを受け取るための第２の入力を含み、その逓倍器７４は、第２のフィルタ用係数１−μを受け取るための第２の入力を含み、第５の（７１）および第６の（７２）遅延要素は、ゲート８０（ＡＮＤ）を介して生じる２つのリセット信号、ゲート８０へと有限状態機械７９へのどちらにも供給されることになる一般用のリセット信号、およびこの有限状態機械７９から来る特定のリセット信号に応答してリセット可能である。位相偏移変調スライサの出力は、有限状態機械７９の入力に結合され、その出力からは、インジケータ生成部２６に供給されることになる合成済みエラー信号が生成される。
【００３０】
合成済みの（積分された）エラー信号をフィルタ７１〜７８によって濾波することにより、重要なエラー信号はより重要にすることができ、かつ／または冗長なエラー信号はより冗長にすることができる。たとえば、１と０の間の適応可能な値μを有する第１のフィルタ用係数、および、たとえば、１から第１のフィルタ用係数を差し引いた第２のフィルタ用係数１−μにより、フィルタを調節することができる。
【００３１】
位相偏移変調スライサでは、２つの奇数サンプル（または２つの偶数サンプル）を量子化して１６個の位相セグメント０〜１５にするが、これは図７に示す通りである。位相セグメントが修正される場合、異なるインジケータ信号αは、図６に示すように、インジケータ生成部２６により生成され、補間を調節するために補間部２０に提供される。
【００３２】
有限状態機械７９は、たとえば、３つの状態、すなわち、初期化状態、動作状態、および待ち状態を含む。初めおよびリセット後には、有限状態機械７９は初期化状態にある。新しい積分されたエラー信号が逓倍器７７、７８に提供されると、必ず遷移が起きる。デフォルトのこれは、たとえば、１０２４サンプルごと（１周期分の積分時間）である。初期化状態から動作状態への遷移１は必ず起き、この遷移中に計測されたサンプリング位相（出力の位相偏移変調スライサ）が参照位相に割り当てられる。動作状態から待ち状態への遷移は、参照位相と計測されたサンプリング位相の間の差が所定の値よりも小さい（ただし０よりも大きい）場合に起きる。合成済みエラー信号（出力の有限状態機械７９）は符号（差）・１／８に等しい。差が所定の値よりも小さい（ただし０よりも大きい）ことに対する連続した違反の数をカウントするカウンタは、リセットされる（この場合には違反はない）。新しい補間が積分されたエラー値の判定に使用されるため、こうした値を濾波するフィルタは、リセットされる。差が０であり補間の修正が必要でない場合（差が所定の値よりも小さく０よりも大きいことに対する違反はなく、このためカウンタはリセットされる）、および差が所定の値よりも大きい場合（参照位相と計測された位相の間の予期しない大きな値が生じており、それ以上の動作は行なわれない）には、動作状態からの遷移は起きない。待ち状態から動作状態への遷移が起きるのは、待ち状態が１周期分の積分時間持続した後である。
【００３３】
図６に示しているインジケータ生成部２６は、合成済みエラー信号（±（差）・１／８）を有限状態機械７９から受け取るための第１の正の（加算用）入力付きの加算器９０を含む。加算器９０の出力は、検波器９１の入力に結合され、これは、その入力信号が−０．５と＋０．５の間にあることを検波し、そうである場合にはこの入力信号を修正なしに通過させ、そうでない場合にはこの入力信号を−０．５と＋０．５の間の値に制限するためのものである。検波器９１の第１の出力は、加算器９２の第１の正の（加算用）入力に結合され、その第２の正の（加算用）入力は遅延要素９３の出力に結合されている。加算器９２の出力は、遅延要素９３の入力に結合され、シフト・レジスタ３０〜３４をシフトすべきかどうかを示すサンプル数信号を生成するが、これは図３に関して論じた通りである。検波器９１の第２の出力は遅延要素９４の入力に、また加算器９５の第１の正の（加算用）入力に結合されている。遅延要素９４の出力は、加算器９０の第２の正の（加算用）入力に結合されている。加算器９５の第２の正の（加算用）入力は、値が０．５の信号を受け取り、この加算器９５の出力は、（丸める目的で）丸め器９６に結合される。丸め器９６では、補間部２０に供給されることになるインジケータ信号αを生成する。検波器９１は、たとえば、モジュロ演算器［modulo operator］を含み、これは、＞０．５である入力信号に応答して、その入力信号引く１に等しい出力信号をその第２の出力のところで生成し、サンプル数信号をその第１の出力を介して＋１という値だけ増加させる。＜−０．５である入力信号に応答して、検波器９１は、その入力信号足す１に等しい出力信号をその第２の出力のところで生成して、サンプル数信号をその第１の出力を介して−１という値だけ増加させる（言い換えると、このサンプル数信号を１という値だけ減少させる）。
【００３４】
図７に示している補間サンプルおよび位相シフトは、図５を説明する間にすでに説明している。
【００３５】
受信信号は、オーディオおよび／またはビデオおよび／または他の情報を含むことができる。位相追跡部７すべてをハードウェアによって構築するのではなく、位相追跡部７の１つまたは複数の部品をプロセッサによって動作するソフトウェアの形で実現することができる。このため、補間部２０、エラー検波器２１、２２、合成器２５、およびインジケータ生成部２６は、それぞれ、それに代えてまたは加えて、補間すること、エラー信号を生成すること、エラー信号を合成し合成済みエラー信号を生成すること、およびインジケータ信号を生成することそれぞれのステップまたは機能と対応することができる。受信データは、同相データおよび直交データを含むのでも含まないのでもよい。受信データは、少なくとも２以上の係数でオーバーサンプリングされることになる。補間部２０およびエラー検波器２１、２２は、たとえば、２２ＭＨｚというクロック周波数で動作し、積分器２３、２４は、たとえば、（積分時間の周期が１０２４サンプルであるとして）１１ＭＨｚというクロック周波数で動作し、合成器２５およびインジケータ生成部２６は、たとえば、１１ｋＨｚというクロック周波数で動作することになる。
【００３６】
たとえば、「Ａのための［for A］」および「Ｂのための［for B］」における「のための［for］」という表現は、「Ｃのための」他の機能などもまた、同時にせよそうでないにせよ行なわれることを除外するものではない。「Ｙに結合されるＸ［X coupled to Y］」、「ＸとＹの間の結合［a coupling between X and Y］」および「ＸとＹを結合する［coupling/couples X and Y］」などの表現は要素ＺがＸとＹの間にあることを除外しない。「ＰがＱを含む［P comprises Q］」および「Ｑを含むＰ［P comprising Q］」などの表現は、要素Ｒもまた含まれる［comprised/included］ことを除外するものではない。
【００３７】
上で触れた諸実施形態が、本発明を制限ではなく例示するものであること、および、添付の特許請求の範囲の範囲から逸脱することなく当業者は、多くの代替実施形態を設計するであろうことに注意されたい。特許請求の範囲で丸括弧［parentheses］の間に入れてある参照符号を、請求項を制限するものと解釈すべきではない。「含む［comprise］」という動詞の使用およびその活用は、要素またはステップがある請求項に述べてあるもののほかに存在することを除外するものではない。ある構成要素の先行する冠詞「ａ」または「ａｎ」は、複数のそのような要素の存在を除外するものではない。本発明の実装は、いくつかの別個の要素を含むハードウェアによって、また適切にプログラムされたコンピュータによって行なうことができる。いくつかの手段を列挙する装置クレームでは、これらの手段のうちのいくつかを、同一のハードウェアの項目で実装することができる。特定の措置が相互に異なる従属クレーム内に記載されているという事実だけでは、これらの措置の組み合わせを有利に使用できないということを示すことにならない。
【００３８】
本発明は、とりわけ、追跡情報を決定するための同期ワードに基づく従来技術の位相追跡部が、こうした同期ワードの受信中しか位相を追跡していないという洞察に基づいており、また、とりわけ、補間済みサンプルからなる少なくとも２つのストリームを生成すること、エラー信号をストリームごとに生成すること、および、合成済みエラー信号に応答して、補間を調節するためのインジケータ信号を生成することによって、位相追跡のための同期ワードの使用は回避され得るという基本的着想に基づいている。
【００３９】
本発明は、とりわけ、システムに同期ワードの使用に依存しない位相追跡部を提供する問題を解決し、また、とりわけ、この位相追跡部を有するシステムは、同期ワードの受信時だけでなく、常に、位相を追跡し、最小の収集時間間隔を有し、位相追跡時間間隔で（ほぼ）直ちに開始される点で、有利である。
【図面の簡単な説明】
【００４０】
【図１】本発明による位相追跡部を含む本発明によるシステムを、構成図の形で示す図である。
【図２】本発明によるシステムで使用するための本発明による位相追跡部を、構成図の形で示す図である。
【図３】本発明による位相追跡部で使用するための補間部を、構成図の形で示す図である。
【図４】本発明による位相追跡部で使用するためのエラー検波器を、構成図の形で示す図である。
【図５】本発明による位相追跡部で使用するための合成器を、構成図の形で示す図である。
【図６】本発明による位相追跡部で使用するためのインジケータ生成部を、構成図の形で示す図である。
【図７】位相偏移変調スライサの形の量子化器によって定められる、補間サンプルおよび円周上に配置された量子化セグメントに関する位相シフトを示す図である。
【図１】
2007511926.tif 000003
【図２】
2007511926.tif 000004
【図３】
2007511926.tif 000005
【図４】
2007511926.tif 000006
【図５】
2007511926.tif 000007
【図６】
2007511926.tif 000008
【図７】
2007511926.tif 000009
【国際調査報告】
2007511926.tif 000010
2007511926.tif 000011